(57)【特許請求の範囲】
【請求項１】
髪を処置するための装置であって、
第１のアーム（５）および第２のアーム（６）であって、前記髪を処置するための連帯移動構成と、処置する髪を前記第１のアームおよび前記第２のアーム間に挿入するための離間構成との間で互いに対して動くことができ、前記第１のアーム（５）は、前記第１のアーム（５）および前記第２のアーム（６）の前記連帯移動構成において前記髪と接触することができる、化粧品を塗布するためのアプリケータ部材（２６）を具備し、前記第２のアーム（６）は、少なくとも１つのハウジング（３８）を有する、第１のアーム（５）および第２のアーム（６）と、
前記ハウジング（３８）内に配されたプレス要素（２１）であって、前記プレス要素（２１）は、前記連帯移動構成において前記髪を前記アプリケータ部材（２６）に押し付けるように構成されている、プレス要素（２１）と、
前記プレス要素（２１）上に取り付けられたコーム（１３）と
を含む、装置。
【請求項２】
前記プレス要素（２１）が一部品で形成されている、請求項１に記載の装置。
【請求項３】
前記プレス要素（２１）は、前記アプリケータ部材（２６）の塗布表面（３５）の形状に相補的な形状を有する押付表面（３６）を有する、請求項１または２に記載の装置。
【請求項４】
前記プレス要素（２１）が前記ハウジングから取り外し可能である、請求項１から３のいずれか一項に記載の装置。
【請求項５】
前記プレス要素（２１）は、押付表面（３６）を有し、前記アプリケータ部材（２６）は、塗布表面（３５）を有し、前記押付表面（３６）および前記塗布表面（３５）は、それらの向かい合った領域が平坦である、請求項１から４のいずれか一項に記載の装置。
【請求項６】
前記プレス要素（２１）は、前記塗布表面（３５）に垂直な軸（Ｑ）に沿って動くことができる、請求項３または５に記載の装置。
【請求項７】
前記プレス要素は、前記軸（Ｑ）に沿って、１ｍｍ〜５ｍｍの最大押し下げ移動距離（Ｐ）にわたって動くことができる、請求項６に記載の装置。
【請求項８】
前記プレス要素（２１）の前記最大押し下げ移動距離は、前記装置が使用されている間に、前記装置の前記第１のアームおよび前記第２のアーム間に保持された処置する前記髪がそろえられるような移動距離である、請求項７に記載の装置。
【請求項９】
前記プレス要素（２１）の前記最大押し下げ移動距離は、前記装置が使用されている間に、前記装置の前記第１のアームおよび前記第２のアーム間に保持された処置する前記髪が、前記装置の移動方向に平行に延びるような移動距離である、請求項８に記載の装置。
【請求項１０】
前記コーム（１３）の歯（５５）の基部は、前記プレス要素（２１）の前記押付表面（３６）に対して奥まっている、請求項３、又は請求項５から９のいずれか一項に記載の装置。
【請求項１１】
前記プレス要素（２１）は、リブまたは溝（４８）などの少なくとも１つのレリーフを含み、前記レリーフは、少なくとも部分的に前記ハウジング（３８）を画定する、前記装置の反対側の壁（５４；５６）にある溝またはリブ（４５）などの相補的なレリーフと協働する、請求項１から１０のいずれか一項に記載の装置。
【請求項１２】
前記アプリケータ部材（２６）には、前記髪に塗布する化粧品を染み込ませている、請求項１から１１のいずれか一項に記載の装置。
【請求項１３】
前記コーム（１３）は、取り外し可能となるように前記プレス要素（２１）上に取り付けられている、請求項１から１２のいずれか一項に記載の装置。
【請求項１４】
前記コーム（１３）は、前記プレス要素（２１）と一体的に形成されている、請求項１から１２のいずれか一項に記載の装置。
【請求項１５】
前記コーム（１３）の歯（５５）は、もう一方のアームの方向に延びる、請求項１から１４のいずれか一項に記載の装置。
【請求項１６】
前記ハウジング（３８）内で前記プレス要素（２１）が圧迫する支持手段（４０）を含み、この支持手段（４０）は、前記プレス要素（２１）に前記ハウジング（３８）内で揺動運動を実行させるように構成されている、請求項１から１５のいずれか一項に記載の装置。
【請求項１７】
前記支持手段（４０）は、前記ハウジング（３８）の、および／または前記プレス要素（２１）の底部（４４）から突出したレリーフである、請求項１６に記載の装置。
【請求項１８】
前記支持手段（４０）は、前記ハウジング（３８）内に配された少なくとも１つのばねを含む、請求項１６または１７に記載の装置。
【請求項１９】
前記少なくとも１つのばねは、前記ハウジング（３８）の底部（４４）に固定されているかまたは前記プレス要素（２１）に固定されている、請求項１８に記載の装置。
【請求項２０】
前記ばねは、前記プレス要素（２１）を押して、前記ハウジングの前記底部から突出した前記レリーフ（１０５）と当接させる、請求項１７を引用する、請求項１８または１９に記載の装置。
【請求項２１】
前記ハウジング（３８）内での揺動が周囲で生じる押付領域（４３）は、前記プレス要素（２１）に沿って実質的に中間に位置している、請求項１６から１９のいずれか一項に記載の装置。
【請求項２２】
製品の塗布回数および／または前記髪が前記アプリケータ部材（２６）に押し付けられた時間を記録するための検出部材を含む、請求項１から２１のいずれか一項に記載の装置。
【請求項２３】
請求項１から２２のいずれか一項に記載の装置を用いて髪を処置するための方法であって、前記装置の前記第１のアームおよび前記第２のアームは、髪の房の周りで閉じられ、前記装置は、前記髪の房に沿って動いて、前記髪の房に、以下の連続したステップ、
前記髪の房をとかすステップと、
前記髪の房が前記プレス要素（２１）により前記アプリケータ部材（２６）に押し付けられることによって、前記化粧品を塗布するステップと、
加熱平板（１５；１６）と接触した前記髪の房を加熱することによって、前記髪をまっすぐにするステップと
を受けさせる、方法。
【請求項２４】
前記髪の房が前記プレス要素（２１）により前記アプリケータ部材（２６）に押し付けられることによって前記化粧品を塗布するステップの後、かつ加熱平板（１５；１６）と接触した前記髪の房を加熱することによって前記髪をまっすぐにするステップの前に、スチームを前記髪の房に当てるステップを含む、請求項２３に記載の方法。
【発明の詳細な説明】
【技術分野】
【０００１】
本発明は、髪を処置するための装置に関し、より具体的には、限定するものではないが、髪を形作ることを目的とした装置、特に髪をまっすぐにするか、カールさせるか、または縮らせることを目的とした装置に関する。
【０００２】
本発明は、２つのアームを含む装置に関係し、２つのアームは、互いに対して動くことができ、これらのアーム間に髪の房を入れるための離間構成と、髪の房を処置するための連帯移動構成とをとることができ、アームは、この連帯移動構成において髪の房に沿って動くことができる。このような装置では、アームはしばしば２つの加熱要素を具備し、装置の使用中に髪がこれらの加熱要素と接触させられる。
【背景技術】
【０００３】
ストレートアイロンとも呼ばれることがある、髪にヘアケア製品の塗布を行うこのタイプの装置は既に多数提案されている。
【０００４】
特許文献１は、動作中にヘアケア製品を分配させるヘアトリートメント装置を収容するためのシートを含む器具を記載している。この装置は、単回使用のヘアケア製品を含浸した支持材料で構成されている。閉位置では、この支持材料は、ローラーまたは平板の形態をしたプレッサーと接触する。
【０００５】
特許文献２は、塗布する製品を収容する貯蔵器と、ジョーのうちの一方にあるこの製品を塗布するためのアプリケータ部材と、ジョーのうちのもう一方にあるスチーム出口とを含むヘアスタイリング器具を開示している。アプリケータ部材は、対向押付表面の反対側に配されている。コームが、アームのうちの一方の上に配され得る。
【０００６】
特許文献３および４から、保持手段上に関節運動するようにそれぞれが取り付けられた加熱要素を含むヘアスタイリング器具も知られている。
【先行技術文献】
【特許文献】
【０００７】
【特許文献１】国際公開第２００９／０７８０４６号パンフレット
【特許文献２】国際公開第２０１４／０６４６６０号パンフレット
【特許文献３】米国特許出願公開第２００１／００２２１８４号明細書
【特許文献４】国際公開第２０１２／１５７８６５号パンフレット
【発明の概要】
【発明が解決しようとする課題】
【０００８】
本発明は、髪にヘアケア製品を塗布するための装置をさらに改善することを目的とする。
【課題を解決するための手段】
【０００９】
よって、本発明の態様のうちの第１の態様によると、本発明の主題は、髪を処置するための装置であり、この装置は、
第１および第２のアームであって、第１および第２のアームは、髪を処置するための連帯移動構成と、処置する髪をこれらのアーム間に挿入するための離間構成との間で互いに対して動くことができ、第１のアームは、アームの連帯移動構成において髪と接触することができる、化粧品を塗布するためのアプリケータ部材を具備し、第２のアームは、少なくとも１つのハウジングを有する、第１および第２のアームと、
ハウジング内に配されたプレス要素であって、プレス要素は、アームの連帯移動構成において髪をアプリケータ部材に押し付けるように構成されている、プレス要素と、
プレス要素上に取り付けられたコームと
を含む。
【００１０】
プレス要素により、化粧品を髪に効果的に塗布することができるように髪をアプリケータ部材に押し付けることが可能となる。
【００１１】
コームにより、アプリケータ部材に沿って髪を配すること、および髪に化粧品をより良好に塗布することが可能となる。
【００１２】
コームがプレス要素上に取り付けられていることにより、コームはプレス要素に近接することができ、それによって、製品が塗布される髪をより良好に分離することができる。
【００１３】
さらに、コームをプレス要素上に取り付けることにより、より小型の装置を提供することが可能となる。
【００１４】
好ましくは、プレス要素およびアプリケータ部材はそれぞれ、長さ方向軸Ｙに沿って細長い形状を有し、有利には、おおよそ同じ長さである。
【００１５】
より好ましくは、プレス要素は、アプリケータ部材の塗布表面の形状に相補的な形状を有する押付表面を有する。例えば、押付表面および塗布表面は、それらの向かい合った領域が平坦である。
【００１６】
ハウジングは、好ましくは、その側面のうちの少なくとも３つ、およびその底部が閉じられている。
【００１７】
好ましくは、プレス要素は取り外し可能である。
【００１８】
好ましくは、コームは、プレス要素と共に動くことができ、したがってプレス要素と共に取り外し可能となるように、プレス要素上に取り付けられている。これにより、特に長期間使用した後、またはユーザーが塗布する化粧品の変更を望む場合に、プレス要素およびコームを１つの動作で取り外し、例えばそれらを掃除することが可能となる。これにより、例えば、特にプレス要素がアプリケータ部材を圧迫する力を変えることによって、塗布される化粧品の量および／または髪に得られる効果を変えるために、プレス要素および／またはコームを替えること、特にプレス要素および／またはコームを異なる形状または異なるサイズのプレス要素および／またはコームと取り換えることも可能となる。これにより、プレス要素および／またはコームを保持するハウジングにアクセスすること、ならびに、プレス要素および／またはコームを掃除できるようにすることも可能となる。
【００１９】
プレス要素、特にコームを具備するプレス要素は、好ましくは、特にスライドさせられることにより、ハウジングの前方開口部を通ってハウジング内に挿入されるか、またはハウジングから引き抜かれる。プレス要素は、リブまたは溝などの少なくとも１つのレリーフを含んでよく、このレリーフは、少なくとも部分的にハウジングを画定する、装置の反対側の壁にある溝またはリブなどの相補的なレリーフと協働する。
【００２０】
装置は、ハウジング内にプレス要素をロックするための少なくとも１つの部材、特にプレス要素と、具体的にはプレス要素の対応するレリーフと協働することを目的としたロック部材を、第２のアーム上に含み得る。ロック部材により、プレス要素が偶然出てくるのを防ぐことが可能となる。
【００２１】
あるいは、プレス要素は、取り外し可能な形では取り付けられない。プレス要素は、少なくとも部分的にハウジングの貫通穴内へスライドするように取り付けられた、少なくとも１つのスタッド、好ましくは２つのスタッドを含んでよく、スタッドは、その端部にあるロック要素、特にねじによって制限される、ある範囲のスライド運動を可能にする。このようなスタッドにより、プレス要素を定位置に保つことが可能となり、プレス要素の係合解除を回避するようにプレス要素の横方向運動が制限される。
【００２２】
プレス要素は、一体部分を形成し得る。
【００２３】
プレス要素は、二面体、または上部で先端が切られた二面体の形態をした、特に、まっすぐでない、例えば外側に向かって凸状または凹状の輪郭を断面において有する、平坦または非平坦な押付表面を有し得る。
【００２４】
プレス要素は、実質的に平行六面体の形状を有するか、またはローラーにより形成されていてよい。
【００２５】
プレス要素は、プラスチック材料で、特にポリアミド（ＰＡ）、ガラス繊維強化ポリアミド（ＰＡＧＦ）、もしくはポリブチレンテレフタレート（ＰＢＴ）で、または金属で作られ得る。
【００２６】
プレス要素は、表面粗さを有し得る。この粗さは、特に髪をまっすぐにするのに役立ち得る。
【００２７】
あるいは、プレス要素は、多孔質材料、特に実質的に同じ方向に向けられフェルトを形成するように組み立てられた繊維により形成された材料で、または発泡体で作られ得る。この場合、プレス要素は、処置される髪の房の両側に製品を塗布すること、および／または余剰の製品を吸収すること、および／または髪への製品の塗布を均質化することに役立ち得る。
【００２８】
プレス要素は加熱され得る。これにより、化粧品が塗布される際に、化粧品を流動化することが可能となり得る。
【００２９】
プレス要素は、７０ｍｍ〜１１０ｍｍの長さを有し得る。
【００３０】
アプリケータ部材は、好ましくは、特に実質的に同じ方向に向けられフェルトを形成するように組み立てられた１組の繊維により形成された、多孔質材料で、または発泡体で作られる。
【００３１】
アプリケータ部材は、特に、まっすぐでない、例えば外側に向かって凸状または凹状の輪郭を有する辺を断面において有する、平坦または非平坦な押付表面を有し得る。
【００３２】
好ましくは、アプリケータ部材には、髪に塗布する化粧品を染み込ませている。
【００３３】
例示的な一実施形態では、プレス要素は、プレス要素を保持するハウジングにより画定された経路に挿入される少なくとも１つの突起または中央ピンを含む。この突起または中央ピンは、プレス要素の揺動軸を定める。
【００３４】
この経路は、例えばスロットまたは溝により画定される。
【００３５】
この突起は、プレス要素の弾性的に変形可能なタブにより具備され得る。突起は、プレス要素をハウジングに取り付ける間に、この突起を具備するタブの弾性変形により、この経路に嵌められ得る。好ましくは、プレス要素は、互いに向かい合う、このような２つのタブおよびこのような２つの突起を含む。
【００３６】
プレス要素およびアプリケータ部材は、同じ材料で作られ得る。
【００３７】
より好ましくは、アプリケータ部材は取り外し可能である。アプリケータ部材は、取り外し可能なリフィルを形成するためにホルダーとして機能する部分に取り付けられ得る。アプリケータ部材またはリフィルが取り外し可能であることにより、衛生上の理由から、またはアプリケータ部材がもはや化粧品をまったく収容していない場合、またはユーザーが、特に異なる形状を持つかもしくは異なる化粧品を収容している別のアプリケータ部材もしくは異なるリフィルの使用を望む場合に、アプリケータ部材を替えることが可能となる。
【００３８】
アプリケータ部材は、これを具備するアーム内の貯蔵器により製品を供給され得る。この貯蔵器は、アームに永続的に固定されるか、または取り外し可能であってよく、例えば、アプリケータ部材と同時に嵌められ、取り外されるように設計され得る。
【００３９】
好ましくは、コームは、プレス要素およびアプリケータ部材に沿って、特にプレス要素の長さ方向軸に平行な長さ方向軸に沿って延びる。
【００４０】
好ましくは、コームの歯は、もう一方のアームの方向に延びる。
【００４１】
好ましくは、コームは、取り外し可能になるようにプレス要素上に取り付けられる。コームは、この目的で設けられたプレス要素の空洞内でスライドさせられることにより、特にプレス要素の長さ方向軸に平行な軸に沿って空洞の前方開口部を通ってスライドさせられることにより、プレス要素上に取り付けられ、かつプレス要素から取り外され得る。コームは、少なくとも１つの固定レリーフ、特に、空洞の相補的な固定レリーフ、特にプレス要素の開口部または溝と協働する、リブまたはフックを含み得る。これにより、衛生上の理由で、もしくはコームが損傷した場合にコームを替えること、コームを取り外して掃除すること、またはコームを異なるコームと交換することが可能となる。これによって、ユーザーは、コームの使用を望まない場合にコームを取り外すこともできる。
【００４２】
好ましくは、コームおよび／またはプレス要素は、コームがプレス要素から偶然外れてしまうのを防ぐロック要素を含む。
【００４３】
あるいは、コームは、モノリシックな形でプレス要素と一体的に形成される、例えばプレス要素と共に射出成型される。コームはその後、アーム上に置かれ、アプリケータ部材と同時に取り外され得る。
【００４４】
好ましくは、コームは、髪の上を装置が移動する方向においてアプリケータ部材の下流に位置し、そのため、髪をとかす動作は、化粧品を塗布する動作の前に行われる。
【００４５】
好ましくは、コームの歯の基部は、プレス要素の押付表面に対して奥まっている。
【００４６】
「奥まる」という表現は、押付表面に垂直な軸に沿って、歯の基部が、プレス要素の押付表面よりもハウジングの底部から短い距離のところにあることを意味する。
【００４７】
コームは、２０個を超える歯、さらに良いのは３０個を超える歯を有し得る。
【００４８】
コームの歯は、１ｍｍ〜３ｍｍの距離だけ離間し得る。
【００４９】
歯の長さは、６ｍｍ〜１０ｍｍであってよい。
【００５０】
好ましくは、コームは、剛性を有する熱可塑性材料または金属、特にガラス繊維強化ポリアミド（ＰＡＧＦ）で作られる。
【００５１】
装置は、好ましくは、ハウジング内でプレス要素が圧迫する支持手段であって、この支持手段は、プレス要素をハウジング内で揺動させるように構成されている、支持手段を含む。
【００５２】
用語「揺動させる」は、プレス要素が少なくとも１つの軸を中心とした回転運動を示すことができるという意味に理解すべきであり、プレス要素の運動は、いくつかの軸の周り、特にプレス要素の長さ方向軸の周りもしくはこれに平行な、かつ／または、ハウジングの横軸の周りもしくはこれに平行な回転成分によって、さらに複雑な運動とすることが可能である。
【００５３】
プレス要素の揺動により、より均一な圧力をアプリケータ部材の全長に沿って及ぼすこと、および製作公差を考慮に入れることが可能となる。したがって、プレス要素は、アプリケータ部材の起こり得る不適当な傾斜に適応することが可能であり得るが、これは、アプリケータ部材が取り外し可能で、さまざまな供給元からのものであり得る場合に、特に有用である。これにより、化粧品が髪に均一に付着する。
【００５４】
支持手段は、剛性を有してよく、あるいは、弾性的に変形可能である。さらなる代替案では、支持手段は、しっかりと接触がなされる領域と、例えばアプリケータ部材による機械的荷重がない場合にプレス要素を所定の静止位置に戻すように設計された１つまたは複数の弾性復帰部材との接触がなされる１つまたは複数の領域とを含む。弾性復帰部材は、コイルばねまたは板ばねであってよい。
【００５５】
好ましくは、支持手段は、ハウジングの底部および／またはプレス要素の底部から突出したレリーフを含み、特にこのようなレリーフであり、特に半球の形態、または実質的に円錐形の歯の形態、またはプレス要素の長さ方向軸に垂直に向けられた半円筒の形態をしている。それに代えて、またはそれに加えて、支持手段は、ハウジング内に配され、例えばハウジングの底部に固定されているかまたはプレス要素に固定されている、少なくとも１つのばね、特に板ばねを含む。
【００５６】
具体的には、ばねは、プレス要素を押して、ハウジングの底部から突出したレリーフと当接させることができる。
【００５７】
支持手段は、取り外し可能であり、装置上の定位置にあるときに、例えばハウジングのくぼみ内に保持され得る。
【００５８】
好ましくは、ハウジング内の押付領域は、プレス要素に沿って実質的に中間に位置している。
【００５９】
あるいは、支持手段は、ハウジング内に配されるか、ハウジングの底部に固定されるか、またはプレス要素に固定されていて、特にプレス要素の軸方向端部の近くに配された、少なくとも２つのばね、特に２つのコイルばねを含む。そうすると、ばねの弾性的に変形可能な性質により、プレス要素は揺動することができる。
【００６０】
プレス要素は、塗布表面に垂直な軸に沿って動くことができ、特に、その高位置から５ｍｍ〜１ｍｍの最大押し下げ移動距離にわたって動くことができ得る。例えば、前述した溝は、対応するリブより幅広く、プレス要素は、リブに対して、よってハウジングに対して、この軸に沿って並進運動で動くことができる。最大押し下げ移動距離は、ハウジングの底部と接触するプレス要素のレリーフによって、かつ／または溝の幅によって、かつ／またはスタッドの長さによって定められ得る。
【００６１】
プレス要素の移動距離は、特に、装置が使用されている間に、装置の２つのアーム間に保持された処置しようとする髪がそろえられ、かつ好ましくは装置の移動方向に平行に延びるような移動距離であってよい。
【００６２】
好ましくは、支持手段は、プレス要素を高位置へと戻す。支持手段がプレス要素に及ぼす復帰力（ｒｅｔｕｒｎ  ｆｏｒｃｅ）に応じて、プレス要素は、アプリケータ部材に幾分強い圧力を及ぼすことができ、これにより、髪に塗布される製品の量を制御することが可能となり得る。
【００６３】
装置は少なくとも２つの加熱平板を含んでよく、これらの加熱平板は、第１および第２のアームそれぞれの上に配され、それぞれが、連帯移動構成において髪を加熱平板のうちのもう一方に押し付ける。
【００６４】
例示的な一実施形態では、プレス要素は、プレス要素を保持するハウジングにより画定された経路に挿入される少なくとも１つの突起またはピンを含む。この突起またはピンは、プレス要素の揺動軸を定める。
【００６５】
この経路は、例えばスロットまたは溝により画定される。
【００６６】
この突起は、プレス要素の弾性的に変形可能なタブにより具備され得る。突起は、プレス要素をハウジングに取り付ける間に、この突起を具備するタブの弾性変形により、この経路に嵌められ得る。好ましくは、プレス要素は、互いに向かい合う、このような２つのタブおよびこのような２つの突起を含む。
【００６７】
プレス要素は、一端部がガイド内に保持され他端部がプレス要素の壁を圧迫する、２つのばね、特に圧縮状態で作用するコイルばねにより、離間位置へと押され得る。ハウジングは、特にＴ字型断面を有するレリーフを有し得、プレス要素は、Ｔのヘッドの下に隣接する、プレス要素のレリーフ、特に隆起部により、ハウジング内に保持され得る。
【００６８】
コームは、少なくとも２つの互いに別々の固定レリーフを、同様に互いに別々であるプレス要素の対応するハウジングに挿入することにより、プレス要素上でスライドさせられることによって固定され得る。
【００６９】
これらのハウジングは、長さ方向において、前述した経路のどちらかの側に位置し得る。固定レリーフは、少なくとも部分的に円形の断面を備えた円筒形状を有するリブであってよく、対応するスロットに挿入されるつまみにより、コームの残部に接続され得、これらのスロットを通って、ハウジングが外側に面している。
【００７０】
あるいは、固定レリーフは、プレス要素の窓に挿入されるフックである。
【００７１】
プレス要素は、２つの向かい合った直立部を備えた、Ｕ字型の全体断面を有してよく、リブおよびハウジングの配置は、好ましくは、コームがプレス要素の直立部のうちの一方に押し付けられるようになっており、コームの歯の基部は、アプリケータ部材の押付表面も画定する、直立部を接続する壁に実質的に位置付けられている。
【００７２】
コームは、円筒形のリブをコームの残部に接続する前述したつまみより上で、直立部を圧迫する、長さ方向リブを有し得る。
【００７３】
コームはまた、これらのつまみより下で直立部を前方に圧迫する。
【００７４】
一端部に、コームは、弾性的に変形可能なロックタブを含んでよく、このロックタブは、プレス要素内に導入され終えると、プレス要素にスナップで固定されるように設計されている。
【００７５】
あるいは、コームは、プレス要素上の相補的なブロックレリーフと協働する、固定レリーフ上のブロックレリーフを含み得る。
【００７６】
コームは、コームがプレス要素上に取り付けられると導入開口部を閉じるブロックタブを含み得る。
【００７７】
あるいは、プレス要素の直立部は、プレス要素の長さ方向に垂直に延びる端壁により接続される。
【００７８】
コームは、コームを嵌め、取り外すのに役立つハンドルを含み得る。
【００７９】
コームは、プレス要素が高位置にあるときにのみ、プレス要素に導入するか、またはプレス要素から取り外すことができる。具体的には、コームの別々の固定レリーフを受容するためのハウジングを画定する壁は、プレス要素が押し下げられると下にある構造体内の対応する窓に挿入され得、これらの窓は、プレス要素のＵ字型の直立部間に延びるハウジングの壁に形成されている。プレス要素が押し下げられると、この壁は、ハウジングに挿入された固定レリーフが出るのを防ぐのに役立つ。
【００８０】
プレス要素は、好ましくは、加熱平板の長さに実質的に等しい長さを有する。
【００８１】
装置は、好ましくは、製品の塗布回数および／または髪がアプリケータ部材に押し付けられた時間、例えばアームが一緒に動かされた回数および／またはアームが連帯移動構成で保持された時間を記録するための検出部材を含み得る。この検出部材は、スイッチ、リードスイッチ、または光学センサ、誘導センサ、もしくは容量センサを含み得る。この検出部材は、好ましくは、プレス要素がアームの連帯移動構成において検出部材と接触するために、ハウジング内でプレス要素の下に配される。
【００８２】
検出部材は、アプリケータ部材および／またはプレス要素の存在を検出し得る。これにより、特に、プレス要素および／またはアプリケータ部材がない場合に、平板を加熱しないことが可能となる。
【００８３】
装置は、アプリケータ部材、特にリフィルの識別子、具体的にはリフィル上に存在する特定のレリーフまたは電子識別チップを含み得る。
【００８４】
装置は、アプリケータ部材の識別子を検出し、それを登録された識別子と比較する、アプリケータ部材を識別するための部材を含み得る。これは、登録されていないアプリケータ部材の使用を防ぐか、または、装置が髪への塗布回数および／または塗布時間を各アプリケータ部材と関連付けることを可能にする。よって、アプリケータ部材が替えられると、装置は、新しいアプリケータ部材を認識する。
【００８５】
装置は、装置内に入れられた髪をスチームにさらすためのスチーム出口、特に、髪の上を装置が動く方向においてアプリケータ部材の上流に配されたスチーム出口を含み得る。
【００８６】
本発明のさらなる主題は、本発明による装置を用いて髪を処置するための方法であり、装置のアームは、髪の房の周りで閉じられ、装置は髪の房に沿って動いて、髪の房に、以下の連続したステップ、
髪の房をとかすステップと、
髪の房がプレス要素によりアプリケータ部材に押し付けられることによって、化粧品を塗布するステップと、
任意で、スチームを髪の房に当てるステップと、
少なくとも１つの加熱平板と接触した髪の房を加熱することによって、特に髪の房を２つの向かい合った加熱平板間に通すことによって、髪をまっすぐにするステップと
を受けさせる。
【００８７】
この方法は、
アプリケータ部材を識別するステップ、および／または、
特に塗布回数および／または髪がアプリケータ部材に押し付けられる時間を測定することにより、アプリケータ部材が空であるかどうかを検出し、アプリケータ部材が空である場合にユーザーに信号を送るステップを含むこともできる。
【００８８】
本発明は、本発明の非限定的な例示的実施形態に関する以下の詳細な説明を読むことにより、また添付図面を検討することにより、より良く理解され得る。
【図面の簡単な説明】
【００８９】
【図１】本発明による装置の一例の斜視図を概略的に示す。
【図２】図１のＩＩに沿った正面図である。
【図３】図１のＩＩＩ−ＩＩＩに沿った断面図である。
【図４】プレス要素およびアプリケータ部材がない図１の装置の斜視図である。
【図５】プレス要素の一例の斜視図を概略的に示す。
【図６】図５のＶＩに沿った斜視図である。
【図７】プレス要素およびハウジング内の支持手段の一例を通る断面図である。
【図８】図７のプレス要素を組み込む装置を通る断面図を示す。
【図９】プレス要素およびハウジング内の支持手段の変形形態を通る、長さ方向の断面図である。
【図１０】プレス要素およびハウジング内の支持手段の変形形態を通る、長さ方向の断面図である。
【図１１】プレス要素およびハウジング内の支持手段の変形形態を通る、長さ方向の断面図である。
【図１２】プレス要素およびハウジング内の支持手段の変形形態を通る、長さ方向の断面図である。
【図１３Ａ】プレス要素の変形形態を通る断面図である。
【図１３Ｂ】プレス要素の変形形態を通る断面図である。
【図１３Ｃ】プレス要素の変形形態を通る断面図である。
【図１４】本発明による装置の別の例を通る断面図である。
【図１５】本発明による装置の別の例の細部の斜視切り欠き図を示す。
【図１６】本発明による装置の別の例の細部の斜視切り欠き図を示す。
【図１７】前方から見た、図１５および図１６の装置の例の細部の切り欠き図である。
【図１８】図１５および図１６の装置の例の細部の切り欠き図である。
【図１９】図１５および図１６の装置のプレス要素の細部の斜視図を示す。
【図２０】図１５および図１６の装置のコームの斜視図である。
【図２１】図２０とは異なる視点から見た、図２０のコームの部分図である。
【図２２】プレス要素およびコームの変形形態の下方からの図である。
【図２３】図２２のプレス要素およびコームを受けるように構成された装置の細部の切り欠き図である。
【図２４】図２２のプレス要素の斜視図を示す。
【図２５】図２２のコームの斜視図である。
【発明を実施するための形態】
【００９０】
明細書の残りの部分では、同一または類似の要素は同じ参照符号を有する。本明細書を簡潔にするために、これらの要素については、実施形態のすべてに関しては詳細に説明しない。むしろ、実施形態ごとに異なる要素のみを詳細に説明する。
【００９１】
図１は、本発明による髪を処置するための装置の一例のハンドピース２を示す。
【００９２】
このハンドピース２は、２つのジョー３および４を有し、ジョー３および４は、髪の房をこれらのジョー間に入れるための離間構成（不図示）と、図１に示す、処置のための連帯移動構成との間で互いに対して動くことができる。
【００９３】
ジョー３および４は、上方アーム５および下方アーム６それぞれに具備され、上方アーム５および下方アーム６は、ここで検討する例では、関節接合部８によって一端部において互いに接続され、よって、ハンドピース２はトングを形成する。
【００９４】
上方アーム５および下方アーム６はそれぞれ、好ましくは、２２ｃｍ〜３１ｃｍの全長を有し、関節接合部８とジョー３および４との間に各自の半ハンドル（ｈａｌｆ−ｈａｎｄｌｅｓ）１０および１１を画定し、ユーザーは半ハンドル１０および１１を押してジョー３および４を一緒に動かすことができる。
【００９５】
上方アーム５および下方アーム６は、ジョー３および４が閉じると好ましくは互いに実質的に平行となる、それぞれの長さ方向軸Ｘ１およびＸ２に沿って延びる。
【００９６】
弾性復帰部材（見えない）が、好ましくは、ジョー３および４を離間構成に戻すために設けられ、この弾性復帰部材は、例えば、関節接合ピン８の周りに配されたばねである。
【００９７】
本発明は、上方アーム５および下方アーム６を互いに接続する特定の方法に限定されず、ジョー３および４は、本発明の範囲から逸脱せずに何らかの他の方法で動くことができるようにされ得る。しかしながら、関節接合部の存在は、これがもたらすエルゴノミクスのために大いに好ましい。
【００９８】
ジョー３および４は、髪を処置するための領域を互いの間に画定し、この領域は、処置する髪の房を受容することを目的としており、ハンドピース２は、例えば髪の根元から先への方向に、処置中に髪の房に沿って動く。
【００９９】
ここで検討する例では、ハンドピース２は、コーム１３に髪を通すことにより髪をとかし、化粧品を塗布し、スチームにより髪を処置して、その後、この場合は２つの加熱平板により形成された２つの加熱表面１５および１６と接触させることで髪の熱処置を実行するように構成されている。
【０１００】
図２に示す、髪の上でのハンドピース２の移動方向Ｄは、好ましくは、アーム５および６の長さ方向軸Ｘ１およびＸ２に実質的に垂直である。
【０１０１】
ここで検討する例では、ハンドピース２は、ライン１８によって、処置中に取り付けられるベースステーション（不図示）に接続され、また電源に接続されている。
【０１０２】
このベースステーションは、電源をハンドピース２に与え、スチームを生成するためその供給部に水も提供し、かつハンドピース２から受信した電気信号を処理する追加機能を実行することもできる。よって、ハンドピース２をベースステーションに接続するライン１８は、さまざまな導電体と、給水管とを含む。
【０１０３】
ユーザーに、例えばハンドピース２の特定の部品を始動させるように、ユーザーインターフェース（図面には示していない）がハンドピース２上にあってもよいし、なくてもよい。
【０１０４】
化粧品は、２つのアームのうちの一方５または６、この場合は上方アーム５、により具備されたリフィル２０によって塗布される。リフィル２０は、このリフィル２０の反対側に配されたプレス要素２１と接触する。
【０１０５】
リフィル２０は、本体２３、およびアプリケータ部材２６を含み、アプリケータ部材２６は、本体２３内に保持されており、プレス要素２１より上にある髪と接触する塗布表面３５を有する。
【０１０６】
リフィル２０は、任意の手段によって、特に図３に示すように、本体２３のリブ２７を相補的形状の溝２９内にスライドさせることによって、アーム５または６に固定され得る。
【０１０７】
本体２３は、開口部３１によって外側に向かって開く空洞３０を有し、リフィル２０が製造されている間にアプリケータ部材２６は空洞３０に挿入される。本体２３は、空洞３０内に延びるアプリケータ部材２６を保持するためのレリーフ３２を含む。
【０１０８】
本体２３およびアプリケータ部材２６は、実質的に直方体の全体形状を有し、長さ方向軸Ｚに沿って細長い。
【０１０９】
アプリケータ部材２６は、例えば軸Ｚに平行に、実質的に同じ方向に向けられた繊維で構成され、フェルトを形成するように組み立てられる。アプリケータ部材２６の塗布表面３５は、示されるように、平坦であってよい。
【０１１０】
あるいは、アプリケータ部材２６は、特に密度が異なる、２つのフェルトを組み立てることによって製造される場合もある。この代替案によれば、フェルトのうちの一方は、特に軸Ｚに平行に、一方向に向けられた繊維で構成され得、フェルトのうちのもう一方は、他方の繊維に垂直な、特に軸Ｚに垂直な方向に向けられた繊維で構成され得る。
【０１１１】
特に、図３で見ることができるように、プレス要素２１は、塗布表面３５に相補的な形状を有し得る押付表面３６を有する。よって、押付表面３６は、平坦で、アーム５および６の連帯移動位置において長さ方向軸Ｚに実質的に平行な長さ方向軸Ｙに沿って細長く、また、塗布表面３５と実質的に同じ範囲を有することができる。
【０１１２】
プレス要素２１は、ハウジング３８の前方開口部を通ってハウジング３８内に取り外し可能に収容される。ハウジング３８はまた、アプリケータ部材２６に面する少なくとも１つの開口部３７を通じて外側に開く。
【０１１３】
図３に示す例では、プレス要素２１は、ハウジング３８上のリブ４５がプレス要素２１内の対応する溝４８の中にスライドさせられることによって、そのハウジング３８内に導入される。リブ４５は、ハウジング３８の向かい合った側壁５４および５６上に配される。プレス要素２１の溝４８は、壁５４および５６それぞれに面する、プレス要素２１の側壁上に配される。
【０１１４】
プレス要素２１は、ハウジング３８の底部から離間した高位置と、ハウジング３８の底部と共に動く低位置との間で、長さ方向軸Ｙに垂直な軸Ｑに沿って動くことができる。
【０１１５】
プレス要素２１は、ハウジング３８内に延びる支持手段４０を圧迫し、プレス要素２１に揺動運動を実行させ、アーム５および６の開位置では、プレス要素２１を高位置に保つ。
【０１１６】
高位置と低位置との間のプレス要素の移動距離Ｐは、１ｍｍ〜５ｍｍであり、例えばおよそ３ｍｍに等しい。プレス要素２１の移動は、ハウジングの底部４４によって、または溝４８の幅ｌによって制限される。
【０１１７】
プレス要素の移動距離により、有利にはプレス要素を装置の閉位置に位置付けることが可能となり、髪が実質的にそろえられる、すなわち、加熱平板間に位置する部分と、プレス要素とアプリケータ部材との間に位置する部分との間で髪の房がそれない。言い換えれば、装置が使用されている間、２つの加熱平板間の距離は、プレス要素とアプリケータ部材との間の距離に実質的に等しく、これらの２つの距離は、軸Ｑと実質的に共線状の方向に測定される。さらに、プレス要素の押付表面３６は、加熱表面１６と実質的に同一平面上にあり、塗布表面３５は、方向Ｑに垂直な平面内で、加熱表面１５と実質的に同一平面上にある。よって、これにより、装置で髪をまっすぐにするのが改善される。
【０１１８】
図３、図５、および図６に例示される例では、支持手段４０は、ハウジング３８の底部４２の方に向けられた、プレス要素２１内のくぼみ４１に固定された板ばねである。よって、板ばね４０は、領域４３においてハウジング３８の底部４２を圧迫し、領域４３の周りで、プレス要素２１の揺動が、軸ＹおよびＱに実質的に垂直な回転軸Ｂを中心として起こる。
【０１１９】
板ばね４０は、その端部に、くぼみ４１内でプレス要素２１と接触する固定タブ４４を有し、端部間に、ハウジング３８の底部４２に向かって凸状である部分４６を有し、この部分４６の中央部分が揺動領域４３を画定する。
【０１２０】
ハウジング３８内に導入される前に板ばね４０が取る高さｓは、ハウジング３８の底部とくぼみ４１の底部との間の距離ｆ以上である。よって、板ばね４０は、ハウジングの底部４４との接触によって常に荷重を受ける。距離ｆは、例えば１ｍｍ〜５ｍｍであり、例えばおよそ３ｍｍに等しい。
【０１２１】
ハウジング３８は、プレス要素２１と実質的に同じ長さＬである。プレス要素２１の長さＬは、例えば７０ｍｍ〜１１０ｍｍ、好ましくは９０ｍｍである。
【０１２２】
溝４８は、リブ４５の厚さｅより大きい幅ｌを有する。リブ４８の幅ｌは、例えば１ｍｍ〜５ｍｍであり、例えばおよそ３．２ｍｍに等しい。溝４５の厚さｅは、０．５ｍｍ〜５ｍｍであり、この場合は１ｍｍに等しい。このような差により、プレス要素２１は、軸Ｙに沿って動き、かつ／または前述したように揺動することができる。
【０１２３】
図３に示される例では、２つのリブ４５は、軸Ｑに沿って、例えば１ｍｍ〜５ｍｍ、例えばおよそ２ｍｍに等しい距離ｄだけ、オフセットしている。
【０１２４】
プレス要素２１は、図５および図６で見ることができる、突出したレリーフ５０によりハウジング３８内にロックされ、突出したレリーフ５０は、プレス要素２１の溝４８内にあり、図４で見ることができるハウジング３８のリブ４５内の奥まったレリーフ５２と係合する。
【０１２５】
レリーフ５０は溝４８の全幅ｌに沿って延びているわけではないので、プレス要素２１を取り外すためには、軸Ｑに沿ってプレス要素２１が押し下げられてレリーフ５０がレリーフ５２から外れるように、プレス要素２１を押せば十分である。よって、プレス要素２１をハウジング３８内で前方にスライドさせることが可能である。
【０１２６】
コーム１３は、ハンドピース２の移動方向Ｄにおいてアプリケータ部材２６およびプレス要素２１の上流に位置する。コーム１３は、プレス要素２１と一体的であり、特にプレス要素２１と一体に成型される。
【０１２７】
コーム１３は、押付表面３６に平行に、押付表面３６の実質的に全長に沿って延びる。
【０１２８】
コーム１３は、軸Ｑに平行な軸に沿ってそれぞれが延びる複数の歯５５を有する。コーム１３は、有利には、２０個を超える歯５５、さらに良いのは３０個を超える歯５５を有し、この場合、およそ４４個の歯がある。
【０１２９】
歯５５の基部は、特に０．２ｍｍ〜５ｍｍ、例えば２ｍｍに等しい距離ｒだけ、押付表面３６に対して奥まっている。これにより、髪を押付表面３６と塗布表面３５との間に適切に挿入することができる。
【０１３０】
歯５５は、好ましくはすべてが同じ高さＨであり、２ｍｍ〜１２ｍｍ、例えば８ｍｍに等しい。この高さは、歯５５間に髪を適切に保持することができるようにするのに十分大きい。
【０１３１】
歯５５は、すべてが互いから等しい距離にある。歯５５の間隔ｋは、好ましくは０．３ｍｍ〜３ｍｍであり、例えば１ｍｍに等しい。
【０１３２】
プレス要素２１は、把持するのをより容易にするために、舌状部５７などのレリーフを含み得る。
【０１３３】
図３および図４では、ハンドピース２はスチーム出口５８を有し、スチーム出口５８は、アーム６上に配されており、かつ化粧品が髪に塗布された後で使用される。
【０１３４】
よって、ハンドピース２が使用されている間、ユーザーは、髪の房の周りで２つのアーム５および６を閉じ、閉位置において、ハンドピース２を髪の根元から髪の先まで動かす。髪はまず、コーム１３によってとかされ、その後、プレス要素２１により髪をアプリケータ部材２６に押し付けることにより製品が塗布され、次に、髪は、スチーム出口５８によりスチームを受けて、最後に２つの加熱表面１５および１６の間で加熱される。
【０１３５】
図７および図８の例は、板ばね４０がハウジング３８内に固定されるか、または位置付けられる点で、図１〜図６の例とは異なる。ハウジング３８は、例えば板ばね４０を受容するくぼみ６０を含み、このくぼみ６０の中で、板ばね４０は、任意の適切な固定手段により固定される。
【０１３６】
板ばね４０はその後、その端部４４によりハウジングの底部４４と接触し、プレス要素２１との接触領域は、揺動領域４３を画定する。
【０１３７】
図９および図１０の例は、支持手段４０がプレス要素２１から、またはハウジング２８の底部４４から突出したレリーフである点で、図１〜図６の例とは異なる。
【０１３８】
図９の例では、突出したレリーフ４０は、ハウジング２８の底部４４上にあるレリーフである。レリーフ４０は、プレス要素２１の長さ方向軸を含む平面における断面が、実質的に三角形の形状である。
【０１３９】
これは必ずしも当てはまらなくてもよく、突出したレリーフ４０は、特に半円形または半多角形の形状を有し得る。
【０１４０】
突出したレリーフ４０は、ハウジング２８の底部４４の中央から延びる歯の形態であってよく、この歯をプレス要素２１が圧迫する。プレス要素２１は、小さな範囲を有する、歯４０の端部を圧迫することができる。これにより、プレス要素は、少なくとも２つの異なる回転軸、特に軸Ｙおよび軸Ｂに平行な軸を中心として、揺動することができる。
【０１４１】
あるいは、突出したレリーフ４０は、軸Ｂに平行な軸に沿って延びる半円筒の形態であってもよく、プレス要素２１は、レリーフ４０の母線を圧迫する。
【０１４２】
図１０の例は、突出したレリーフ４０がプレス要素２１に属している点で、図９の例とは異なる。
【０１４３】
図１１の例は、支持手段４０がコイルばねである点で、図１〜図６の例とは異なる。コイルばねは、プレス要素２１とハウジング２８の底部４４との間に入れられている。プレス要素２１およびハウジングの底部４４はそれぞれ、コイルばね４０を定位置に保つためにくぼみ４１および６０を含む。コイルばね４０は、プレス要素２１の中央を圧迫するように配されている。
【０１４４】
図１２の例は、プレス要素２１の一端部に近接してそれぞれが配される２つのコイルばね４０ａおよび４０ｂを支持手段４０が含む点で、図１１の例とは異なる。
【０１４５】
図１３Ａ〜図１３Ｃは、プレス要素２１の押付表面３６の変形形態を示す。
【０１４６】
押付表面３６は、図１３Ａに示すように湾曲しているか、図１３Ｂに示すように二面体の形態であるか、または図１３Ｃに示すように先端が切られた二面体の形態である、断面を有し得る。しかしながら、本発明はこのような形態に限定されない。
【０１４７】
図１４の例は、コーム１３が取り外し可能にプレス要素２１に取り付けられている点で、図１〜図４の例とは異なる。コーム１３は、プレス要素２１上の相補的なリブ７２と係合することを目的とした少なくとも１つの溝７０、特にＴ字型の溝を含み得る。溝７０により、コーム１３をプレス要素２１上に保つことが可能となる。
【０１４８】
コーム１３および／またはプレス要素２１は、コームがプレス要素２１から自由に外れるのを防ぐためのロック部材（不図示）を含み得る。
【０１４９】
あるいは、コーム１３はリブを含み、アプリケータ部材は対応する溝を含む。取り外し可能に固定する任意の他の手段も可能である。
【０１５０】
図１５〜図２１は、コーム１３が取り外し可能に取り付けられたプレス要素２１の別の変形形態を示す。
【０１５１】
この他の変形形態によると、プレス要素２１は、その長さの少なくとも一部に沿って、全体形状がＵ字型の断面を有する。Ｕのウェブの上面は、この場合、押付表面３６を形成する。Ｕの２つの横方向直立部１０１、１０２は、それぞれの保持隆起部１０３および１０４を有する。これらの隆起部は、互いの方に向けられており、実質的にプレス要素２１の長さ方向に延びる。
【０１５２】
プレス要素２１を保持する下方アーム６は、Ｔ字型断面を有する突出したレリーフ１０５を有し、そのヘッド１６０は、直立部１０１および１０２の間に保持される。
【０１５３】
下方アーム６はまた、プレス要素２１に向かって開く、それぞれのばね４０ａ、４０ｂを受容するための２つのハウジングを形成する。コイルばね４０ａ、４０ｂを保持するための相補的なガイドは、プレス要素２１上に、特に押付表面３６の反対側の領域に、設けられ得る。
【０１５４】
プレス要素２１はタブ１５７を含み、そのうちの１つを、図１８で見ることができ、タブ１５７はそれぞれ、対向する突起１５６を備える。これらの突起１５６は、レリーフ１０５の溝１５５の中を、溝１５５に沿って実質的に中間まで、スライドすることを目的としている。
【０１５５】
プレス要素２１は、以下のように下方アーム６上に取り付けられ得る。
・２つのコイルばね４０ａ、４０ｂが、この目的で設けられた下方アーム６のハウジング内に配される。
・プレス要素２１が、レリーフ１０５より上に置かれ、プレス要素２１が２つのコイルばね４０ａ、４０ｂを覆う。
・プレス要素２１が、レリーフ１０５上の定位置にスナップで留められ、隆起部１０３、１０４がレリーフ１０５のヘッド１６０上にスナップで固定されるまで、横方向直立部１０１、１０２の変形をもたらす。ばね４０ａ、４０ｂは、隆起部１０３、１０４を押してレリーフ１０５のヘッド１６０に当接させる。隆起部１０３、１０４は、プレス要素２１が下方アーム６から外れるのを防ぐ。
【０１５６】
プレス要素２１が嵌められている間、タブ１５７は、突起１５６が溝１５５に嵌まるように弾性的に変形する。
【０１５７】
さらに、図示のとおり、プレス要素２１は、その長さ方向に延びるリブ１０６を形成する。リブ１０６は、この場合、プレス要素２１が取り付けられると、装置の外側の方に向けられる。
【０１５８】
プレス要素２１に接合され得るコーム１３が、図２０および図２１に示されている。
【０１５９】
コーム１３は、この場合、コーム１３の一方の同じ側において、コーム１３の長さ方向に延びる、２つの円筒形のリブ１０７、１０８を有する。
【０１６０】
円筒形のリブ１０７、１０８はそれぞれ、コーム１３の縦方向に順に、コーム１３の長さの一部のみに沿って延びる。
【０１６１】
２つの円筒形のリブ１０７、１０８は、コームの歯５５に実質的に垂直に延びる２つのつまみ１１０、１１１により、コーム１３のウェブ１０９に接続される。
【０１６２】
コーム１３は、示されるように、コーム１３の長さ方向に垂直かつ舌状部５７の平面に垂直に延びるブロックタブ１１５も有する。
【０１６３】
タブ１１５は、舌状部５７を有するコーム１３の端部の近くに設けられる。好ましくは、タブ１１５は、コーム１３の縦方向において、歯５５と舌状部５７との間に位置する。
【０１６４】
コーム１３は、舌状部５７を有する端部とは反対の端部に、ロックレリーフ１１６も有する。特に図２１に示すように、ロックレリーフ１１６は、弾性的に変形可能なロックタブの形態であり、このロックタブは、舌状部を有する端部とは反対側のコーム１３の端部から、
第１の隆起部１１７と、
第１の隆起部１１７にすぐ隣接した第１のくぼみ１１８であって、コーム１３は、この第１のくぼみ１１８において減少した厚さを有する、第１のくぼみ１１８と、
第１の隆起部１１７より長く、実質的に同じ厚さを有する第２の隆起部１１９と、
第２のくぼみ１２０であって、この第２のくぼみにおけるコーム１３の厚さが、第１のくぼみにおけるコーム１３の厚さと実質的に同じである、第２のくぼみ１２０と
を連続して含む。
【０１６５】
この場合、「厚さ」は、コーム１３の断面平面において、歯５５の高さの方向に垂直な方向に測定した寸法を意味するものと理解される。
【０１６６】
当然、ロックレリーフのさらなる例が実施され得る。特に、第２の隆起部および／または第２のくぼみが存在しなくてもよい。
【０１６７】
プレス要素２１が押し下げられたときにハウジング１５０の円筒形壁を受容するためにプレス要素２１を収容する窓１５２が、この構造体に設けられる。
【０１６８】
コーム１３は、この場合、例えば以下のようにプレス要素２１上に取り付けられる。
・２つの円筒形のリブ１０７、１０８が、プレス要素２１の長さ方向においてプレス要素２１に形成された対応するハウジング１５０の隣に置かれ、プレス要素２１は、装置の２つのアーム５、６が離間位置にある状態で高位置にある。
・円筒形のリブ１０７、１０８が、プレス要素２１の長さ方向にハウジング１５０内へとスライドされ、つまみ１１０、１１１はハウジング１５０の開口部を通過する。
・ロックタブのくぼみ１１８が要素２１の端部において形成された窓１２１のエッジ１２２にスナップで固定されるまで、スライド運動が続けられる。
【０１６９】
コームがプレス要素上に嵌められたら、タブ１１５は、コームをプレス要素に導入するための開口部を閉じる。
【０１７０】
使用中、アプリケータ要素は、特定の角度で、プレス要素２１に接触する。次に、プレス要素２１は、プレス要素２１の押付表面３６とアプリケータ要素の塗布表面との接触面積を最大化するために、突起１５６の軸を中心として揺動する。最後に、プレス要素２１は加熱平板が当接するまで垂直に押し下げられ、突起１５６は対応する溝１５５内で動く。
【０１７１】
図１５〜図２１に関して記載された実施形態により、押付表面と塗布表面との間の全接触面積にわたり均一な接触圧力を有することが可能となる。この実施形態により、最大の接触面積を有することも可能となる。この実施形態におけるコームの構造は、装置の幅に対するコームの影響を制限する利点も有するので、装置はより小型になる。
【０１７２】
この実施形態では、コームおよびプレス要素は、有利には、ハウジング１５０および円筒形のリブ１０７、１０８の壁により形成された、いくつかの刻み目のある押出物によって製造される。具体的には、１つの押出物により製造された構造体と比べると、これにより、ばねとの、かつ／またはプレス要素の中央ガイド軸を定める突起１５６との、相互作用を制限することが可能となる。
【０１７３】
コーム１３が取り外し可能に取り付けられたプレス要素２１の別の変形形態が、図２２〜図２５に示されている。
【０１７４】
この他の変形形態によると、プレス要素２１は、その長さの少なくとも一部に沿って、全体形状がＵ字型の断面を有する。Ｕのウェブの上面は、この場合、押付表面３６を形成する。Ｕの２つの横方向直立部１０１、１０２は、中央ピン２００と、プレス要素２１の長さ方向に垂直に延びる２つの端面２０２および２０３と、によって、互いに接続される。あるいは、中央ピン２００は、２つの横方向直立部の一方１０１または１０２から、横方向直立部のもう一方に向けて延びるが、そのもう一方に接続されてはいない。中央ピン２００は、２つの端面２０２および２０３から実質的に等距離である。２つの端面２０２および２０３により、プレス要素２１をその端部において閉じ、それにより、強度を増し、プレス要素２１の変形を制限することが可能となる。
【０１７５】
プレス要素２１を保持する下方アーム６は、ガイドスロット２０５を有し、ガイドスロット２０５は、垂直に延びており、プレス要素２１がアーム６上に取り付けられたときにピン２００を保持し、垂直運動しているピン２００をガイドすることが可能となる。
【０１７６】
下方アーム６はまた、プレス要素２１に向かって開く、それぞれのばね４０ａ、４０ｂを受容するための２つのハウジングも形成する。コイルばね４０ａ、４０ｂを受容するための相補的なガイドは、プレス要素２１上に、特に押付表面３６の反対側の領域に設けられ得る。
【０１７７】
プレス要素２１は、プレス要素２１と共に成型され、雌ねじを有する、スタッド２１０および２１２を含む。これらのスタッド２１０および２１２は、下方アーム６の貫通穴２１５および２１７にスライド式に収容される。これらのスタッドはそれぞれ、穴２１５および２１７から突き出るそれらの自由端部に、ワッシャー２２０および２２２、ならびにねじ２２５および２２７を具備している。このような要素により、スタッドを穴の中に保つことが可能となる。下方アーム６は、内部空間２３０を有し、穴２１５および２１７内をスライドすることによる、ねじタブ２１０および２１２と、ワッシャー２２０および２２２と、ねじ２２５および２２７との組立体のこの空間２３０における垂直運動を可能にする。
【０１７８】
プレス要素２１に接合され得るコーム１３が、図２２および図２５に示されている。
【０１７９】
コーム１３は、この場合、コームからコームの後方に向かって、コームの一方の同じ側に延びる２つのフック２３７、２３８を有する。２つのフック２３７および２３８はそれぞれ端部分を有し、端部分は、コーム１３の長さ方向に延び、端部分と共にエルボを形成する接続部分によりコームに接続される。
【０１８０】
フック２３７、２３８は、コーム１３の縦方向に前後に延びる。
【０１８１】
プレス要素２１は、フック２３７および２３８をそれぞれ保持するための窓２４５および２４７を含む。窓２４５および２４７は、フック２３７および２３８の端部分が窓２４５および２４７に挿入され得るように、プレス要素２１の長さ方向軸に沿って細長い。窓の長さは、フック２３７および２３８の端部分の長さより長いか、またはこれと等しい。
【０１８２】
フック２３７および２３８の各端部分は、プレス要素２１上の相補的なブロックレリーフ２６０および２６１と一緒にスナップで固定される、ブロックレリーフ２５０および２５１を含む。
【０１８３】
フック２３７および２３８の接続部分は、表面２６５および２６６を有し得、表面２６５および２６６は、フック２３７および２３８とは反対側の方に向けられており、コームの長さ方向軸に対して斜めに向けられるように面取り部を有する。フック２３７および２３８の端部も、フックの内側に向かって面取り部を有し得る。このような面取り部により、プレス要素２１からコーム１３を取り外すのが容易になる。
【０１８４】
窓２４５および２４７の外側面は、プレス要素２１の長さ方向軸に対して斜めの外側面（不図示）も有することができる。窓の面のこのような向きにより、窓を通じてフックをガイドすることで、プレス要素２１からコーム１３を取り外すことがさらに容易になり得る。
【０１８５】
コーム１３は、示されるように、コーム１３の長さ方向に垂直に延びる、グリップタブ２１４も有する。
【０１８６】
コーム１３は、この場合、例えば以下のようにプレス要素２１上に取り付けられる。
・２つのフック２３７および２３８が、プレス要素２１上に形成された対応する窓２４５および２４７の隣に位置付けられ、プレス要素２１は、装置の２つのアーム５、６が離間位置にある状態で高位置にある。
・フック２３７および２３８が、窓２４５および２４７に挿入され、コーム１３が、プレス要素２１の長さ方向に、後方に向かってスライドされ、フック２３７および２３８のブロックレリーフ２５０および２５１は、プレス要素２１上の相補的なブロックレリーフ２６０および２６１上にスナップで固定される。
【０１８７】
使用中、アプリケータ要素は、特定の角度でプレス要素２１に接触する。次に、プレス要素２１は、プレス要素２１の押付表面３６とアプリケータ要素の塗布表面との接触面積を最大化するために、中央ピン２００を中心として揺動する。最後に、プレス要素２１は加熱平板が当接するまで垂直に押し下げられ、中央ピン２００はスロット２０５内でスライドし、ねじタブ２１０および２１２は穴２１５および２１７内でスライドする。
【０１８８】
図２２〜図２５に関して記載された実施形態により、プレス要素およびコームのより高い強度、アーム上でのプレス要素のより良好な保持、プレス要素のさらに制限された横方向揺動間隙を有し、それにより、プレス要素の係合解除のリスクを制限し、プレス要素の剛性を高め、アーム上でのプレス要素のガイドを改善することが可能となる。
【０１８９】
本発明は、説明された例示的な実施形態に制限されるものではなく、それらの特徴は、示されていない変形形態の一部として、互いに組み合わせられ得る。本発明は、当業者により達成可能である多数の方法により変更されてもよい。
【０１９０】
例えば、押付表面３６は、髪をまっすぐにするのに役立ち得る粗さを示し得る。プレス要素およびアプリケータ部材は、同じ材料で作られ得る。
【符号の説明】
【０１９１】
２  ハンドピース
３  ジョー
４  ジョー
５  上方アーム
６  下方アーム
８  関節接合部
１０  半ハンドル
１１  半ハンドル
１３  コーム
１５  加熱表面
１６  加熱表面
１８  ライン
２０  リフィル
２１  プレス要素
２３  本体
２６  アプリケータ部材
２７  リブ
２９  溝
３０  空洞
３１  開口部
３２  レリーフ
３５  塗布表面
３６  押付表面
３７  開口部
３８  ハウジング
４０  支持手段
４０ａ  ばね
４０ｂ  ばね
４１  くぼみ
４２  底部
４３  揺動領域
４４  固定タブ、底部
４５  リブ
４８  溝
５０  レリーフ
５２  後退レリーフ
５４  側壁
５５  歯
５６  側壁
５７  舌状部
５８  スチーム出口
６０  くぼみ
７０  溝
７２  リブ
１０１  横方向直立部
１０２  横方向直立部
１０３  隆起部
１０４  隆起部
１０５  レリーフ
１０６  リブ
１０７  円筒形のリブ
１０８  円筒形のリブ
１０９  ウェブ
１１０  つまみ
１１１  つまみ
１１５  ブロックタブ
１１６  ロックレリーフ
１１７  第１の隆起部
１１８  第１のくぼみ
１１９  第２の隆起部
１２０  第２のくぼみ
１２１  窓
１２２  エッジ
１５０  ハウジング
１５２  窓
１５５  溝
１５６  突起
１５７  タブ
１６０  ヘッド
２００  中央ピン
２０２  端面
２０３  端面
２０５  ガイドスロット
２１０  スタッド
２１２  スタッド
２１５  貫通穴
２１７  貫通穴
２２０  ワッシャー
２２２  ワッシャー
２２５  ねじ
２２７  ねじ
２３０  内部空間
２３７  フック
２３８  フック
２４５  窓
２４７  窓
２５０  ブロックレリーフ
２５１  ブロックレリーフ
２６０  ブロックレリーフ
２６１  ブロックレリーフ
Ｂ  回転軸
Ｄ  移動方向
Ｑ  軸
Ｘ１  長さ方向軸
Ｘ２  長さ方向軸
Ｙ  長さ方向軸
Ｚ  長さ方向軸
【図１】
0006735812.tif 000002
【図２】
0006735812.tif 000003
【図３】
0006735812.tif 000004
【図４】
0006735812.tif 000005
【図５】
0006735812.tif 000006
【図６】
0006735812.tif 000007
【図７】
0006735812.tif 000008
【図８】
0006735812.tif 000009
【図９】
0006735812.tif 000010
【図１０】
0006735812.tif 000011
【図１１】
0006735812.tif 000012
【図１２】
0006735812.tif 000013
【図１３Ａ】
0006735812.tif 000014
【図１３Ｂ】
0006735812.tif 000015
【図１３Ｃ】
0006735812.tif 000016
【図１４】
0006735812.tif 000017
【図１５】
0006735812.tif 000018
【図１６】
0006735812.tif 000019
【図１７】
0006735812.tif 000020
【図１８】
0006735812.tif 000021
【図１９】
0006735812.tif 000022
【図２０】
0006735812.tif 000023
【図２１】
0006735812.tif 000024
【図２２】
0006735812.tif 000025
【図２３】
0006735812.tif 000026
【図２４】
0006735812.tif 000027
【図２５】
0006735812.tif 000028